【事件の表示】
　特願２０１５−　２４０１４号「遊技機」拒絶査定不服審判事件〔平成２７年　７月１６日出願公開、特開２０１５−１２８６０９号〕について、次のとおり審決する。
【結　論】
　本件審判の請求は、成り立たない。
【理　由】
第１　手続の経緯
　本願は，平成１７年１１月８日に出願した特願２００５−３２４０３４号の一部を平成２２年７月２８日に新たな特許出願である特願２０１０−１６９７２７号とし，さらにその一部を平成２３年３月１６日に新たな特許出願である特願２０１１−０５７７９４号とし，さらにその一部を平成２７年２月１０日に新たな特許出願である特願２０１５−２４０１４号としたものであって，その手続の経緯は以下の通りである。
　平成２８年２月２３日付け　：拒絶理由通知書
　平成２８年４月２６日　　　：意見書，手続補正書の提出
　平成２８年１０月１１日付け：拒絶理由(最後の拒絶理由）通知書
　平成２８年１２月１３日　　：意見書，手続補正書の提出
　平成２９年５月１９日付け　：平成２８年１２月１３日の手続補正
　　　　　　　　　　　　　　　についての補正の却下の決定，拒絶査定
　　　　　　　　　　　　　　（発送日：平成２９年６月６日）
　平成２９年７月２５日　　　：審判請求書，手続補正書の提出
第２　平成２９年７月２５日の手続補正についての補正却下の決定
［補正却下の決定の結論］
　平成２９年７月２５日の手続補正（以下「本件補正」という。）を却下する。
［理由］
１　本件補正の概要
　本件補正は特許請求の範囲の請求項１の記載を含む補正であり，平成２８年４月２６日の手続補正と本件補正の特許請求の範囲の請求項１の記載はそれぞれ，以下のとおりである（下線部は補正箇所を示す。）。
（本件補正前である平成２８年４月２６日の手続補正）
「【請求項１】
　所定の確率により大当り状態に遷移させる大当り抽選手段を含み，所定の抽選により該大当り状態が終了した後も一定期間前記所定の確率よりも高い確率で大当り状態に遷移させる確率変動状態とする主制御手段と，所定の演出態様により演出制御対象を制御する副制御手段と，所定の演出態様により演出図柄の変動表示を制御する表示制御手段と，前記演出図柄の変動表示を行なう表示手段とを備えた遊技機であって，
　前記主制御手段は，前記所定の抽選の結果に応じてグループ化した前記演出図柄を指定するグループ化コマンドを前記副制御手段に送信し，
　前記副制御手段は，前記主制御手段から前記グループ化コマンドを受信したときは，該受信した前記グループ化コマンドが前記確率変動状態への移行を示唆するコマンド群に含まれるか否かを判定し，前記確率変動状態への移行を示唆するコマンド群に含まれると判定したときは，前記確率変動状態用の前記演出図柄を所定の選択比率に基づいて選択して，該選択した前記演出図柄を前記表示手段に表示するための演出図柄指定コマンドを前記表示制御手段に送信することを特徴とする遊技機。」
（本件補正である平成２９年７月２５日の手続補正）
「【請求項１】
　所定の確率により大当り状態に遷移させる大当り抽選手段を含み，所定の抽選により該大当り状態が終了した後も一定期間前記所定の確率よりも高い確率で大当り状態に遷移させる確率変動状態とする主制御手段と，所定の演出態様により演出制御対象を制御する副制御手段と，所定の演出態様により演出図柄の変動表示を制御する表示制御手段と，前記演出図柄の変動表示を行なう表示手段とを備えた遊技機であって，
　前記主制御手段は，前記所定の抽選の結果に応じてグループ化した前記演出図柄を指定するグループ化コマンドを前記副制御手段に送信し，
　前記副制御手段は，前記主制御手段から前記グループ化コマンドを受信したときは，該受信した前記グループ化コマンドが前記確率変動状態への移行を示唆するコマンド群に含まれるか否かを判定し，前記確率変動状態への移行を示唆するコマンド群に含まれると判定したときは，前記確率変動状態用の前記演出図柄を所定の選択比率に基づいて選択して，該選択した前記演出図柄を前記表示手段に表示するための演出図柄指定コマンドを前記表示制御手段に送信
し，前記表示制御手段によって表示される前記確率変動状態用の前記演出図柄は，非確率変動状態用の演出図柄と同一の形態である場合を含み，当該場合には，前記グループ化コマンドは，前記確率変動状態への移行を示唆するコマンド群に含まれる場合と含まれない場合とで異なるデータであり，前記演出図柄指定コマンドは，前記確率変動状態へ移行する場合と移行しない場合であっても同一のデータである
２　補正の適否
（１）補正事項
　本件補正は，補正前の請求項１について，以下に挙げる補正事項を含むものである。
ア　補正前の請求項１に記載された発明特定事項に加えて，「前記表示制御手段によって表示される前記確率変動状態用の前記演出図柄は，非確率変動状態用の演出図柄と同一の形態である場合を含み，当該場合には，前記グループ化コマンドは，前記確率変動状態への移行を示唆するコマンド群に含まれる場合と含まれない場合とで異なるデータであり，前記演出図柄指定コマンドは，前記確率変動状態へ移行する場合と移行しない場合であっても同一のデータである」との記載を追加する補正。
（２）補正の目的等についての検討
ア　上記補正事項アは補正前の発明特定事項である「前記表示制御手段」によって「表示」される「前記確率変動状態用の前記演出図柄」に関し，「非確率変動状態用の演出図柄と同一の形態である場合を含」むと限定する補正であり，さらに，そのような場合において「グループ化コマンド」は「前記確率変動状態への移行を示唆するコマンド群に含まれる場合と含まれない場合とで異なるデータであ」るとともに，「演出図柄指定コマンド」は「前記確率変動状態へ移行する場合と移行しない場合であっても同一のデータである」と限定する補正である。
　また，本件補正後の請求項１に記載された発明は，補正前の請求項１に記載された発明と，産業上の利用分野及び解決しようとする課題が同一であるので，特許法第１７条の２第５項第２号に規定する特許請求の範囲の減縮を目的とするものに該当する。
　そして，本件補正は，本願の願書に最初に添付した特許請求の範囲，明細書及び図面（以下，「当初明細書等」という。）の段落【００８７】〜【００８９】，【図７】の記載に基づくものであるから，新規事項を追加するものではない。
３　独立特許要件
　そこで，本件補正後の請求項１に記載された発明が特許出願の際独立して特許を受けることができるものであるか否か，すなわち，特許法第１７条の２第６項において準用する同法第１２６条第７項の規定に適合するか否か，について以下に検討する。
（１）本件補正後の請求項１に係る発明
　本件補正後の請求項１に係る発明（以下，「本願補正発明」という。）は，上記「１．本件補正の概要」に本件補正である請求項１として記載したとおりのものである（Ａ〜Ｅは，本願補正発明を分説するために当審で付した。）。
「【請求項１】
Ａ　所定の確率により大当り状態に遷移させる大当り抽選手段を含み，所定の抽選により該大当り状態が終了した後も一定期間前記所定の確率よりも高い確率で大当り状態に遷移させる確率変動状態とする主制御手段と，所定の演出態様により演出制御対象を制御する副制御手段と，所定の演出態様により演出図柄の変動表示を制御する表示制御手段と，前記演出図柄の変動表示を行なう表示手段とを備えた遊技機であって，
Ｂ　前記主制御手段は，前記所定の抽選の結果に応じてグループ化した前記演出図柄を指定するグループ化コマンドを前記副制御手段に送信し，
Ｃ　前記副制御手段は，前記主制御手段から前記グループ化コマンドを受信したときは，該受信した前記グループ化コマンドが前記確率変動状態への移行を示唆するコマンド群に含まれるか否かを判定し，前記確率変動状態への移行を示唆するコマンド群に含まれると判定したときは，前記確率変動状態用の前記演出図柄を所定の選択比率に基づいて選択して，該選択した前記演出図柄を前記表示手段に表示するための演出図柄指定コマンドを前記表示制御手段に送信し，
Ｄ　前記表示制御手段によって表示される前記確率変動状態用の前記演出図柄は，非確率変動状態用の演出図柄と同一の形態である場合を含み，当該場合には，前記グループ化コマンドは，前記確率変動状態への移行を示唆するコマンド群に含まれる場合と含まれない場合とで異なるデータであり，前記演出図柄指定コマンドは，前記確率変動状態へ移行する場合と移行しない場合であっても同一のデータであることを特徴とする
Ｅ　遊技機。」
（２）引用文献１に記載された事項
　原査定の平成２８年１０月１１日付け拒絶理由に引用された本願の遡及日前に頒布された刊行物である特開２００３−３４００６０号公報（以下，「引用文献１」という。）には，図面とともに次の事項が記載されている（下線は当審で付した。）。
（ア）「【００１３】この
パチンコ遊技機１
特別図柄
の変動表示及び遊技に関連した演出表示を行う表示手段としての液晶表示装置（以下「ＬＣＤ」という。）４
（イ）「【００１６】また，大当りとなる停止態様（以下「大当り停止態様」という。）を構成する特別図柄（以下「
当り停止図柄
が
特定当り停止図柄
であるときは，
「確変大当り」となる。「確変大当り」となった場合は，「大当り遊技状態」が終了した後の一般遊技状態が，大当りの発生確率が高い状態となる。
（ウ）「【００３１】主制御回路３０は，所定の信号入力に応じてＬＣＤ４の表示に関する制御指令（以下「コマンド」という。）を出す。具体的には，
主制御回路３０は，
ＬＣＤ４で行われる図柄変動の停止結果を大当りとするか否かを判定する大当り判定手段１０２と，
図柄変動の停止結果が大当りのときに停止図柄を特定当り停止図柄及び通常当り停止図柄のいずれにするかを選択する停止図柄種別選択手段１０４と，
上記の判定結果及び選択結果に応じたコマンドを生成するコマンド生成手段１０６と，生成されたコマンドを副制御回路４０に向けて送信するコマンド送信手段１０７とを含み
【００３２】
副制御回路４０は，主制御回路３０から出されたコマンドに基づいてＬＣＤ４の表示制御を行う。
（エ）「【００３６】パチンコ遊技機１の遊技動作は，一つの回路基板上に配置された主制御回路３０により制御される。
主制御回路３０は，
メインＣＰＵ
３１，
を主たる構成要素として構成される。
（オ）「【００４０】また，パチンコ遊技機１は，主制御回路３０とは別の一つの回路基板上に配置された副制御回路４０を備える。
副制御回路４０は，
サブＣＰＵ
４１，
を主たる構成要素として構成される。
【００４１】副制御回路４０では，上述の通り，主制御回路３０から送信されたコマンドに基づいた停止図柄の選択が行われ，その選択された停止図柄と主制御回路３０からコマンドに基づいてＬＣＤ４での図柄変動や演出アニメーションの表示制御が行われる。また，副制御回路４０では，ＬＣＤ４の表示制御のほか，主制御回路３０から送信されるコマンドに基づいたスピーカ２５からの音声出力制御と前面扉２及び遊技盤３に配置される枠ＬＥＤ，盤面上ＬＥＤ等の発光体（ランプ２６と総称する。）の動作制御についても行う。主制御回路３０から送信されるコマンドを実行する具体的手段として，
副制御回路４０は，ＬＣＤ４を制御するための図柄制御部４５，
を備える。
（カ）「【００８０】次に，
メインＣＰＵ３１は
メインＲＡＭ３３の送信データ記憶領域に格納されている各種コマンド等の送信データをその指定された送信先に出力する処理を行う
（キ）「【００８８】次に，
メインＣＰＵ３１は，
当り停止図柄種別選択用乱数値
を，
当り停止図柄種別選択テーブル
に設定されている数値範囲と照合し，当該乱数値が“１”，“３”，“５”，“７”，“９”，“１１”のいずれかであれば，停止図柄として特定当り停止図柄を選択し，当り停止当該乱数が“０”，“２”，“４”，“６”，“８”，“１０”のいずれかであれば，停止図柄として通常当り停止図柄を選択する
【００８９】続いて，
メインＣＰＵ３１は，
停止図柄の種別（ここでは，特定当り又は通常当り）を指定した停止図柄種別指定コマンドをメインＲＡＭ３３の送信データ記憶領域に格納する
（ク）「【０１１１】初めに，
サブＣＰＵ４１は，
主制御回路３０から受信したコマンドが「通常当り」又は「特定当り」が指定された停止図柄種別指定コマンドであるときは
ＳＴ８２の処理に移る。
【０１１２】
ＳＴ８２の処理では，主制御回路３０から受信したコマンドが「特定当り」が指定された停止図柄種別指定コマンドかどうか，
を判別する。ここで“ＹＥＳ”のときは，ＳＴ８３の処理に移り，“ＮＯ”のときはＳＴ８４の処理に移る。
【０１１３】
ＳＴ８３の処理では，サブＣＰＵ４１は，
停止図柄決定用乱数値を
特定当り停止図柄決定テーブル
に設定された数値と照合し，特定当りを示す停止図柄の種類を決定する。そして，その停止図柄を表示する表示制御プログラムを作成し，当該プログラムをワークＲＡＭ４３の所定領域にセットする。
【０１１４】
ＳＴ８４の処理では，サブＣＰＵ４１は，
停止図柄決定用乱数値を
通常当り停止図柄決定テーブル
に設定された数値と照合し，通常当りを示す停止図柄の種類を決定する。そして，その停止図柄を表示する表示制御プログラムを作成し，当該プログラムをワークＲＡＭ４３の所定領域にセットする。
（ケ）「【０１１９】初めに，サブＣＰＵ４１は，「データ出力処理」を行う（ＳＴ９１）。このデータ出力処理では，
サブＣＰＵ４１は，
ワークＲＡＭ４３にセットされた表示制御プログラム，
を参照し，
実行コマンドを読み出し，
表示制御プログラムから読み出した実行コマンドは図柄制御部４５に送られ，
【０１２０】次に，サブＣＰＵ４１は，
図柄制御部４５の
ＶＤＰ５１は，
実行コマンドに応じて，特別図柄の表示に必要な画像データを画像データＲＯＭ５４から読み出し，読み出した画像データをＬＣＤ４に表示させる。
（コ）【図１４】には通常当り停止図柄決定テーブルにより，通常当り停止図柄として，２，４，６，８，１０，１２のいずれかを選択しうることが図示され，【図１５】には特定当り停止図柄決定テーブルにより，特定当り停止図柄として，１，３，５，７，９，１１のいずれかを選択しうることが図示されている。
　上記記載事項（ア）〜（ケ）及び図示事項（コ）より，以下の事項が導かれる。なお，（ａ）〜（ｅ）は本願補正発明の構成Ａ〜Ｅに対応した事項を示している。
（ａ）上記段落【００３１】には「主制御回路３０は，・・・ＬＣＤ４で行われる図柄変動の停止結果を大当りとするか否かを判定する大当り判定手段１０２と，・・・図柄変動の停止結果が大当りのときに停止図柄を特定当り停止図柄及び通常当り停止図柄のいずれにするかを選択する停止図柄種別選択手段１０４と，・・・上記の判定結果及び選択結果に応じたコマンドを生成するコマンド生成手段１０６と，生成されたコマンドを副制御回路４０に向けて送信するコマンド送信手段１０７とを含み・・・」と記載され，上記段落【００３２】には「副制御回路４０は，主制御回路３０から出されたコマンドに基づいてＬＣＤ４の表示制御を行う。」と記載され，上記段落【００１３】には「・・・特別図柄・・・の変動表示及び遊技に関連した演出表示を行う表示手段としての液晶表示装置（以下「ＬＣＤ」という。）４」と記載され，上記段落【００１６】には「・・・当り停止図柄・・・が・・・特定当り停止図柄・・・であるときは，・・・「確変大当り」となる。「確変大当り」となった場合は，「大当り遊技状態」が終了した後の一般遊技状態が，大当りの発生確率が高い状態となる。」と記載され，上記段落【００１３】には「パチンコ遊技機１」が記載されているから，引用文献１には，ＬＣＤ４で行われる図柄変動の停止結果を大当りとするか否かを判定する大当り判定手段１０２と，図柄変動の停止結果が大当りのときに停止図柄を特定当り停止図柄及び通常当り停止図柄のいずれにするかを選択する停止図柄種別選択手段１０４と，上記の判定結果及び選択結果に応じたコマンドを生成するコマンド生成手段１０６と，生成されたコマンドを副制御回路４０に向けて送信するコマンド送信手段１０７を含む主制御回路３０と，
　主制御回路３０から出されたコマンドに基づいてＬＣＤ４の表示制御を行う副制御回路４０と，
　特別図柄の変動表示及び遊技に関連した演出表示を行う表示手段としての液晶表示装置であるＬＣＤ４を備え，
　当り停止図柄が特定当り停止図柄であるときは確変大当りとなるがこの場合は「大当り遊技状態」が終了した後の一般遊技状態が，大当りの発生確率が高い状態となるパチンコ遊技機１が記載されているといえる。
　また，上記段落【００３６】には「主制御回路３０は，・・・メインＣＰＵ・・・３１，・・・を主たる構成要素として構成される。」と記載され，上記段落【００８８】には「メインＣＰＵ３１は，・・・当り停止図柄種別選択用乱数値・・・を，・・・当り停止図柄種別選択テーブル・・・に設定されている数値範囲と照合し，当該乱数値が“１”，“３”，“５”，“７”，“９”，“１１”のいずれかであれば，停止図柄として特定当り停止図柄を選択し，当り停止当該乱数が“０”，“２”，“４”，“６”，“８”，“１０”のいずれかであれば，停止図柄として通常当り停止図柄を選択する」と記載されているから，引用文献１には，主制御回路３０はメインＣＰＵ３１を含み，メインＣＰＵ３１は，当り停止図柄種別選択用乱数値を，当り停止図柄種別選択テーブルに設定されている数値範囲と照合し，当該乱数値が“１”，“３”，“５”，“７”，“９”，“１１”のいずれかであれば，停止図柄として特定当り停止図柄を選択し，当り停止当該乱数が“０”，“２”，“４”，“６”，“８”，“１０”のいずれかであれば，停止図柄として通常当り停止図柄を選択することが記載されている。
　さらに，上記段落【００４０】には「副制御回路４０は，・・・サブＣＰＵ・・・４１，・・・を主たる構成要素とし」と記載され，上記段落【００４１】には「副制御回路４０は，ＬＣＤ４を制御するための図柄制御部４５・・・を備える。」と記載されているから，
　副制御回路４０は，サブＣＰＵ４１を含むとともに，ＬＣＤ４を制御するための図柄制御部４５を備えることが記載されている。
　してみると，引用文献１には，
ＬＣＤ４で行われる図柄変動の停止結果を大当りとするか否かを判定する大当り判定手段１０２と，図柄変動の停止結果が大当りのときに停止図柄を特定当り停止図柄及び通常当り停止図柄のいずれにするかを選択する停止図柄種別選択手段１０４と，上記の判定結果及び選択結果に応じたコマンドを生成するコマンド生成手段１０６と，生成されたコマンドを副制御回路４０に向けて送信するコマンド送信手段１０７を含む主制御回路３０と，
　主制御回路３０から出されたコマンドに基づいてＬＣＤ４の表示制御を行う副制御回路４０と，
　特別図柄の変動表示及び遊技に関連した演出表示を行う表示手段としての液晶表示装置であるＬＣＤ４を備え，
　当り停止図柄が特定当り停止図柄であるときは確変大当りとなるがこの場合は「大当り遊技状態」が終了した後の一般遊技状態が，大当りの発生確率が高い状態となるパチンコ遊技機１であって，
　主制御回路３０はメインＣＰＵ３１を含み，メインＣＰＵ３１は，当り停止図柄種別選択用乱数値を，当り停止図柄種別選択テーブルに設定されている数値範囲と照合し，当該乱数値が“１”，“３”，“５”，“７”，“９”，“１１”のいずれかであれば，停止図柄として特定当り停止図柄を選択し，当り停止当該乱数が“０”，“２”，“４”，“６”，“８”，“１０”のいずれかであれば，停止図柄として通常当り停止図柄を選択し，
　副制御回路４０は，サブＣＰＵ４１を含むとともに，ＬＣＤ４を制御するための図柄制御部４５を備えること
（ｂ）上記段落【００８９】には「メインＣＰＵ３１は，・・・停止図柄の種別（ここでは，特定当り又は通常当り）を指定した停止図柄種別指定コマンドをメインＲＡＭ３３の送信データ記憶領域に格納する・・・」と記載され，上記段落【００８０】には「メインＣＰＵ３１は・・・メインＲＡＭ３３の送信データ記憶領域に格納されている各種コマンド等の送信データをその指定された送信先に出力する処理を行う」と記載されているから，引用文献１には，
メインＣＰＵ３１は，停止図柄の種別（ここでは，特定当り又は通常当り）を指定した停止図柄種別指定コマンドをメインＲＡＭ３３の送信データ記憶領域に格納する処理と，
　メインＲＡＭ３３の送信データ記憶領域に格納されている各種コマンド等の送信データをその指定された送信先に出力する処理を行う
（ｃ）上記段落【０１１１】には「・・・サブＣＰＵ４１は，・・・主制御回路３０から受信したコマンドが「通常当り」又は「特定当り」が指定された停止図柄種別指定コマンドであるときは・・・ＳＴ８２の処理に移る。」と記載され，上記段落【０１１２】には「ＳＴ８２の処理では，主制御回路３０から受信したコマンドが「特定当り」が指定された停止図柄種別指定コマンドかどうか，・・・を判別する。ここで“ＹＥＳ”のときは，ＳＴ８３の処理に移り，“ＮＯ”のときはＳＴ８４の処理に移る。」と記載され，上記段落【０１１３】には「ＳＴ８３の処理では，サブＣＰＵ４１は，・・・停止図柄決定用乱数値を・・・特定当り停止図柄決定テーブル・・・に設定された数値と照合し，特定当りを示す停止図柄の種類を決定する。そして，その停止図柄を表示する表示制御プログラムを作成し，当該プログラムをワークＲＡＭ４３の所定領域にセットする。」と記載され，上記段落【０１１４】には「ＳＴ８４の処理では，サブＣＰＵ４１は，・・・停止図柄決定用乱数値を・・・通常当り停止図柄決定テーブル・・・に設定された数値と照合し，通常当りを示す停止図柄の種類を決定する。そして，その停止図柄を表示する表示制御プログラムを作成し，当該プログラムをワークＲＡＭ４３の所定領域にセットする。」と記載されているから，引用文献１には，サブＣＰＵ４１は，主制御回路３０から受信したコマンドが「通常当り」又は「特定当り」が指定された停止図柄種別指定コマンドであるとき，主制御回路３０から受信したコマンドが「特定当り」が指定された停止図柄種別指定コマンドかどうかを判別し，
　当該判別結果がＹＥＳであるときは，停止図柄決定用乱数値を特定当り停止図柄決定テーブルに設定された数値と照合し，特定当りを示す停止図柄の種類を決定し，
　上記判別結果がＮＯであるときは，停止図柄決定用乱数値を通常当り停止図柄決定テーブルに設定された数値と照合し，通常当りを示す停止図柄の種類を決定して，
　その停止図柄を表示する表示制御プログラムを作成し，当該プログラムをワークＲＡＭ４３の所定領域にセットすることが記載されているといえる。
　また，上記段落【０１１９】には「サブＣＰＵ４１は，・・・ワークＲＡＭ４３にセットされた表示制御プログラム，・・・を参照し，・・・実行コマンドを読み出し・・・表示制御プログラムから読み出した実行コマンドは図柄制御部４５に送られ，・・・」と記載され，上記【０１２０】には「図柄制御部４５の・・・ＶＤＰ５１は，・・・実行コマンドに応じて，特別図柄の表示に必要な画像データを画像データＲＯＭ５４から読み出し，読み出した画像データをＬＣＤ４に表示させる。」と記載されているから，引用文献１には，サブＣＰＵ４１は，ワークＲＡＭ４３にセットされた表示制御プログラムを参照し，読み出した実行コマンドを図柄制御部４５に送る処理を行い，
　図柄制御部４５のＶＤＰ５１は，実行コマンドに応じて，特別図柄の表示に必要な画像データを画像データＲＯＭ５４から読み出し，読み出した画像データをＬＣＤ４に表示させることが記載されているといえる。
　してみると，引用文献１には，
サブＣＰＵ４１は，主制御回路３０から受信したコマンドが「通常当り」又は「特定当り」が指定された停止図柄種別指定コマンドであるとき，主制御回路３０から受信したコマンドが「特定当り」が指定された停止図柄種別指定コマンドかどうかを判別し，
　当該判別結果がＹＥＳであるときは，停止図柄決定用乱数値を特定当り停止図柄決定テーブルに設定された数値と照合し，特定当りを示す停止図柄の種類を決定し，
　上記判別結果がＮＯであるときは，停止図柄決定用乱数値を通常当り停止図柄決定テーブルに設定された数値と照合し，通常当りを示す停止図柄の種類を決定して，
　その停止図柄を表示する表示制御プログラムを作成し，当該プログラムをワークＲＡＭ４３の所定領域にセットし，
　サブＣＰＵ４１は，ワークＲＡＭ４３にセットされた表示制御プログラムを参照し，読み出した実行コマンドを図柄制御部４５に送る処理を行い，
　図柄制御部４５のＶＤＰ５１は，実行コマンドに応じて，特別図柄の表示に必要な画像データを画像データＲＯＭ５４から読み出し，読み出した画像データをＬＣＤ４に表示させる
（ｄ）上記図示事項（コ）のとおり，【図１４】には通常当り停止図柄決定テーブルにより，通常当り停止図柄として，２，４，６，８，１０，１２のいずれかを選択しうることが図示され，【図１５】には特定当り停止図柄決定テーブルにより，特定当り停止図柄として，１，３，５，７，９，１１のいずれかを選択しうることが図示されているのであるから，引用文献１には，
通常当り停止図柄と特定当り停止図柄とは，同一の形態である場合を含まない
（ｅ）上記（ａ）で示したとおり，引用文献１の段落【００１３】には，
パチンコ遊技機１
　上記記載事項（ア）〜（ケ），図示事項（コ）及び上記の認定事項（ａ）〜（ｅ）から，引用文献１には，次の発明（以下，「引用発明１」という。）が記載されていると認められる。なお，引用発明１の構成ａ〜ｅは，それぞれ本願発明の構成Ａ〜Ｅに対応するとともに，引用発明１の構成ａ１〜ａ３，ｃ１〜ｃ２は，それぞれ本願発明の構成Ａ，Ｃに対応するものである。
「ａ１　ＬＣＤ４で行われる図柄変動の停止結果を大当りとするか否かを判定する大当り判定手段１０２と，図柄変動の停止結果が大当りのときに停止図柄を特定当り停止図柄及び通常当り停止図柄のいずれにするかを選択する停止図柄種別選択手段１０４と，上記の判定結果及び選択結果に応じたコマンドを生成するコマンド生成手段１０６と，生成されたコマンドを副制御回路４０に向けて送信するコマンド送信手段１０７を含む主制御回路３０と，
　主制御回路３０から出されたコマンドに基づいてＬＣＤ４の表示制御を行う副制御回路４０と，
　特別図柄の変動表示及び遊技に関連した演出表示を行う表示手段としての液晶表示装置であるＬＣＤ４を備え，
　当り停止図柄が特定当り停止図柄であるときは確変大当りとなるがこの場合は「大当り遊技状態」が終了した後の一般遊技状態が，大当りの発生確率が高い状態となるパチンコ遊技機１であって，
ａ２　主制御回路３０はメインＣＰＵ３１を含み，メインＣＰＵ３１は，当り停止図柄種別選択用乱数値を，当り停止図柄種別選択テーブルに設定されている数値範囲と照合し，当該乱数値が“１”，“３”，“５”，“７”，“９”，“１１”のいずれかであれば，停止図柄として特定当り停止図柄を選択し，当り停止当該乱数が“０”，“２”，“４”，“６”，“８”，“１０”のいずれかであれば，停止図柄として通常当り停止図柄を選択し，
ａ３　副制御回路４０は，サブＣＰＵ４１を含むとともに，ＬＣＤ４を制御するための図柄制御部４５を備え，
ｂ　メインＣＰＵ３１は，停止図柄の種別（ここでは，特定当り又は通常当り）を指定した停止図柄種別指定コマンドをメインＲＡＭ３３の送信データ記憶領域に格納する処理と，
　メインＲＡＭ３３の送信データ記憶領域に格納されている各種コマンド等の送信データをその指定された送信先に出力する処理を行い，
ｃ１　サブＣＰＵ４１は，主制御回路３０から受信したコマンドが「通常当り」又は「特定当り」が指定された停止図柄種別指定コマンドであるとき，主制御回路３０から受信したコマンドが「特定当り」が指定された停止図柄種別指定コマンドかどうかを判別し，
　当該判別結果がＹＥＳであるときは，停止図柄決定用乱数値を特定当り停止図柄決定テーブルに設定された数値と照合し，特定当りを示す停止図柄の種類を決定し，
　上記判別結果がＮＯであるときは，停止図柄決定用乱数値を通常当り停止図柄決定テーブルに設定された数値と照合し，通常当りを示す停止図柄の種類を決定して，
　その停止図柄を表示する表示制御プログラムを作成し，当該プログラムをワークＲＡＭ４３の所定領域にセットし，
ｃ２　サブＣＰＵ４１は，ワークＲＡＭ４３にセットされた表示制御プログラムを参照し，読み出した実行コマンドを図柄制御部４５に送る処理を行い，
　図柄制御部４５のＶＤＰ５１は，実行コマンドに応じて，特別図柄の表示に必要な画像データを画像データＲＯＭ５４から読み出し，読み出した画像データをＬＣＤ４に表示させ，
ｄ　通常当り停止図柄と特定当り停止図柄とは，同一の形態である場合を含まない
ｅ　パチンコ遊技機１。」
（３）対比
　本願補正発明と引用発明１とを対比する。なお，項目（ａ）〜（ｅ）は，本願補正発明の構成Ａ〜Ｅに対応している。
（ａ）引用発明１の「ＬＣＤ４で行われる図柄変動の停止結果を大当りとするか否かを判定する大当り判定手段１０２」は，遊技機の技術分野において図柄変動の停止結果を大当たりとするか否かを所定の確率で決定することは技術常識であることを考えると，本願補正発明の「所定の確率により大当たり状態に遷移させる大当たり抽選手段」に相当するといえる。
　また，主制御回路３０が含むメインＣＰＵが行う「当り停止図柄種別選択用乱数値を，当り停止図柄種別選択テーブルに設定されている数値範囲と照合し，当該乱数値が“１”，“３”，“５”，“７”，“９”，“１１”のいずれかであれば，停止図柄として特定当り停止図柄を選択」することは，「当り停止図柄種別選択用乱数値」という乱数値を，「当り停止図柄種別選択テーブルに設定されている数値範囲と照合」して選択するのであるから，本願補正発明でいう「所定の抽選」を行っているといえる。
　そして，引用発明１においては「停止図柄」が「特定当たり停止図柄」であるときは「確変大当り」となり「「大当り遊技状態」が終了した後の一般遊技状態が，大当りの発生確率が高い状態」となるのであるが，このような「大当たりの発生確率が高い状態」は永続するものではなく一定期間で終了することが技術常識であることを考えると，引用発明１の「「大当り遊技状態」が終了した後の一般遊技状態が，大当りの発生確率が高い状態」となることは，本願補正発明の「該大当り状態が終了した後も一定期間前記所定の確率よりも高い確率で大当り状態に遷移させる確率変動状態とする」ことに相当するといえる。
　してみると，引用発明１の「主制御回路３０」は，本願補正発明の「主制御手段」に相当するといえる。
　次に，引用発明１の「ＬＣＤ４」は「特別図柄の変動表示及び遊技に関連した演出表示を行う表示手段」であるので，引用発明１の「ＬＣＤ４」は，本願補正発明の「前記演出図柄の変動表示を行う表示手段」及び「演出制御対象」に相当するといえる。そして，引用発明１の「ＬＣＤ４の表示制御を行う副制御回路４０」は，「特別図柄の変動表示及び遊技に関連した演出表示」という所定の演出態様となるよう「ＬＥＤ４」の表示制御を行っているのであるから，本願補正発明の「所定の演出態様により演出制御対象を制御する副制御手段」に相当するといえる。
　また，引用発明１の「副制御部４０」が備える「図柄制御部４５」は，「特別図柄の表示に必要な画像データを画像データＲＯＭ５４から読み出し，読み出した画像データをＬＣＤに表示させ」るものであるので，本願補正発明の「所定の演出態様により演出図柄の変動表示を制御する表示制御手段」に相当するといえる。
　そして，引用発明１の「パチンコ遊技機１」は，本願補正発明の「遊技機」に相当する。
　してみると，引用発明１の「ａ１　ＬＣＤ４で行われる図柄変動の停止結果を大当りとするか否かを判定する大当り判定手段１０２と，図柄変動の停止結果が大当りのときに停止図柄を特定当り停止図柄及び通常当り停止図柄のいずれにするかを選択する停止図柄種別選択手段１０４と，上記の判定結果及び選択結果に応じたコマンドを生成するコマンド生成手段１０６と，生成されたコマンドを副制御回路４０に向けて送信するコマンド送信手段１０７を含む主制御回路３０と，
　主制御回路３０から出されたコマンドに基づいてＬＣＤ４の表示制御を行う副制御回路４０と，
　特別図柄の変動表示及び遊技に関連した演出表示を行う表示手段としての液晶表示装置であるＬＣＤ４を備え，
　当り停止図柄が特定当り停止図柄であるときは確変大当りとなるがこの場合は「大当り遊技状態」が終了した後の一般遊技状態が，大当りの発生確率が高い状態となるパチンコ遊技機１であって，
ａ２　主制御回路３０はメインＣＰＵ３１を含み，メインＣＰＵ３１は，当り停止図柄種別選択用乱数値を，当り停止図柄種別選択テーブルに設定されている数値範囲と照合し，当該乱数値が“１”，“３”，“５”，“７”，“９”，“１１”のいずれかであれば，停止図柄として特定当り停止図柄を選択し，当り停止当該乱数が“０”，“２”，“４”，“６”，“８”，“１０”のいずれかであれば，停止図柄として通常当り停止図柄を選択し，
ａ３　副制御回路４０は，サブＣＰＵ４１を含むとともに，ＬＣＤ４を制御するための図柄制御部４５を備え」る「パチンコ遊技機１」は，
　本願補正発明の「所定の確率により大当り状態に遷移させる大当り抽選手段を含み，所定の抽選により該大当り状態が終了した後も一定期間前記所定の確率よりも高い確率で大当り状態に遷移させる確率変動状態とする主制御手段と，所定の演出態様により演出制御対象を制御する副制御手段と，所定の演出態様により演出図柄の変動表示を制御する表示制御手段と，前記演出図柄の変動表示を行なう表示手段とを備えた遊技機」に相当するといえる。
（ｂ）まず，引用発明１の構成ｃ１において，「停止図柄種別指定コマンド」に基づいて，「特定当りを示す停止図柄」又は「通常当りを示す停止図柄」の「種類」を決定するのであるから，上記「特定当りを示す停止図柄」も「通常当りを示す停止図柄」も複数存在することは明らかである。
　してみると，引用発明１における「特定当りを示す停止図柄」及び「通常当りを示す停止図柄」は複数種類存在するから，いずれも，本願補正発明の「グループ化した前記演出図柄」に相当するといえる。
　してみると，引用発明１の「停止図柄の種別（ここでは，特定当り又は通常当り）を指定した停止図柄種別指定コマンド」は，本願補正発明の「グループ化した前記演出図柄を指定するグループ化コマンド」に相当するといえる。
　さらに，引用発明１の構成ａ１から「主制御回路３０」は「生成されたコマンドを副制御回路４０に向けて送信する」ものといえ，また，上記（ａ）に示したとおり引用発明１は「当り停止図柄種別選択用乱数値」という乱数値を，「当り停止図柄種別選択テーブルに設定されている数値範囲と照合」して「停止図柄種別指定コマンド」を指定するのであるから，本願補正発明でいう「所定の抽選」を行って「グループ化した前記演出図柄を指定するグループ化コマンド」を指定しているといえる。
　してみると，引用発明１の「主制御回路３０」は，
　本願補正発明の「主制御手段」の機能である「前記所定の抽選の結果に応じてグループ化した前記演出図柄を指定するグループ化コマンドを前記副制御手段に送信」する機能を有するといえる。
（ｃ）上記（ｂ）で示したとおり「停止図柄種別指定コマンド」は本願補正発明の「グループ化コマンド」に相当するといえる。
　また，引用発明１において，当該「停止図柄種別指定コマンド」が「特定当り」であるときは，「特定当りを示す停止図柄」がＬＥＤ４に表示されて確変大当りとなり大当りの発生確率が高くなる状態となることは明らかである。そうすると，引用発明１において「停止図柄種別指定コマンド」が「特定当り」であることは，大当たりの発生確率が高くなる状態である確率変動状態へ移行することを示唆するものであるといえる。
　してみると，引用発明１の「主制御回路３０から受信したコマンドが「特定当り」が指定された停止図柄種別指定コマンドかどうかを判別」すること，及び「当該判別結果がＹＥＳであるとき」は，それぞれ本願補正発明の「受信した前記グループ化コマンドが前記確率変動状態への移行を示唆するコマンド群に含まれるか否かを判定」すること，及び「前記確率変動状態への移行を示唆するコマンド群に含まれると判定したとき」に相当するといえる。
　次に，引用発明１の「サブＣＰＵ４１」は「当該判別結果がＹＥＳであるとき」は，「停止図柄決定用乱数値を特定当り停止図柄決定テーブルに設定された数値と照合し，特定当りを示す停止図柄の種類を決定」するのであるから，本願発明の「前記確率変動状態用の前記演出図柄を所定の選択比率に基づいて選択」する機能を有するといえる。
　さらに，引用発明１の「サブＣＰＵ４１」は，「停止図柄を表示する表示制御プログラムを作成」するとともに，「表示制御プログラムを参照し，読み出した実行コマンドを図柄制御部４５に送る」ものである。ここで，上記（ａ）で示したとおり，引用発明１の「副制御回路４０の図柄制御部４５」は本願補正発明の「表示制御手段」に相当すること，及び当該「実行コマンド」は主制御回路３０から停止図柄種別指定コマンドを受信し，停止図柄の種類を決定した後の処理により読み出したコマンドであるので「選択した前記演出図柄を前記表示手段に表示するための演出図柄指定コマンド」に相当するといえることを考えると，当該「表示プログラムを参照し，読み出した実行コマンドを図柄制御部４５に送る」ことは，本願補正発明の「選択した前記演出図柄を前記表示手段に表示するための演出図柄指定コマンドを前記表示制御手段に送信」することに相当するといえる。
　よって，引用発明１における「サブＣＰＵ４１」を備える「副制御回路４０」は，
　本願補正発明の「副制御手段」の有する機能である「前記主制御手段から前記グループ化コマンドを受信したときは，該受信した前記グループ化コマンドが前記確率変動状態への移行を示唆するコマンド群に含まれるか否かを判定し，前記確率変動状態への移行を示唆するコマンド群に含まれると判定したときは，前記確率変動状態用の前記演出図柄を所定の選択比率に基づいて選択して，該選択した前記演出図柄を前記表示手段に表示するための演出図柄指定コマンドを前記表示制御手段に送信」する機能を有するといえる。
（ｄ）引用発明１の「通常当り停止図柄」と「特定当り停止図柄」とは，それぞれ本願補正発明の「非確率変動状態用の演出図柄」と「確率変動状態用の演出図柄」に相当する。また引用発明１においては，上記「通常当り停止図柄」と「特定当り停止図柄」は，いずれも，「副制御回路４０の図柄制御部４５」によって表示されるものといえる。
　してみると，引用発明１は，本願補正発明と「表示制御手段によって表示される」「確率変動状態用の演出図柄」が存在する点において共通する。
（ｅ）上記（ａ）で示したとおり，引用発明１の「パチンコ遊技機１」は，本願補正発明の「遊技機」に相当する。
　したがって，上記（ａ）〜（ｅ）から，本願補正発明と引用発明１とは，
［一致点］
「【請求項１】
Ａ　所定の確率により大当り状態に遷移させる大当り抽選手段を含み，所定の抽選により該大当り状態が終了した後も一定期間前記所定の確率よりも高い確率で大当り状態に遷移させる確率変動状態とする主制御手段と，所定の演出態様により演出制御対象を制御する副制御手段と，所定の演出態様により演出図柄の変動表示を制御する表示制御手段と，前記演出図柄の変動表示を行なう表示手段とを備えた遊技機であって，
Ｂ　前記主制御手段は，前記所定の抽選の結果に応じてグループ化した前記演出図柄を指定するグループ化コマンドを前記副制御手段に送信し，
Ｃ　前記副制御手段は，前記主制御手段から前記グループ化コマンドを受信したときは，該受信した前記グループ化コマンドが前記確率変動状態への移行を示唆するコマンド群に含まれるか否かを判定し，前記確率変動状態への移行を示唆するコマンド群に含まれると判定したときは，前記確率変動状態用の前記演出図柄を所定の選択比率に基づいて選択して，該選択した前記演出図柄を前記表示手段に表示するための演出図柄指定コマンドを前記表示制御手段に送信し，
Ｄ’表示制御手段によって表示される確率変動状態用の演出図柄が存在する
Ｅ　遊技機。」
　である点で一致し，以下の点で相違する。
［相違点］
　本願補正発明は「前記表示制御手段によって表示される前記確率変動状態用の前記演出図柄は，非確率変動状態用の演出図柄と同一の形態である場合を含み，当該場合には，前記グループ化コマンドは，前記確率変動状態への移行を示唆するコマンド群に含まれる場合と含まれない場合とで異なるデータであり，前記演出図柄指定コマンドは，前記確率変動状態へ移行する場合と移行しない場合であっても同一のデータである」のに対し，
　引用発明１は，通常当り停止図柄と特定当り停止図柄とは，同一の形態である場合を含まない点。
（４）判断
ア　相違点について
　遊技機の技術分野において，確率変動状態用の演出図柄が，非確率変動状態用の演出図柄と同一態様である場合を含むことは，周知の技術的事項である（例えば，平成２９年５月１９日付けの補正の却下の決定で引用した特開２００４−３２１２４０号公報の【００９９】，同補正の却下の決定で引用した特開２００３−７９８７１号公報の【０００３】，【００１０】，【００１３】，”パチンコ攻略マガジン”，２００５年１０月８日発行，第１７巻，第２６号，第７６−７７頁（特に，第７６頁下段「ファイティングボーナス」の欄内の「大当り図柄」には，「偶数図柄大当りでも期待！」及び「偶数図柄でも２回に１回は確変大当りとなるのだ。」と記載されているところから，偶数図柄大当りの場合，確変大当りとなることもあれば，非確変大当りとなることもあることが記載されているといえる。）がある。）。
　引用発明１と，上記周知の技術的事項とは，ともに遊技機の技術分野に属し，確率変動状態用の演出図柄と，非確率変動状態用の演出図柄とを表示するという点において共通している。
　また，引用発明１において，図柄制御部４５に送られる実行コマンドは，特別図柄の表示に必要な画像データを画像データＲＯＭ５４から読み出し，読み出した画像データをＬＣＤ４に表示させるものである。してみると，引用発明１において，ＬＥＤ４に表示する画像が同一であるときは，同一の画像データを画像データＲＯＭ５４から読み出せば良く，そのための実行コマンドを同一のデータとしておくことが簡便であることは，当業者にとって明らかである。
　してみると，引用発明１において，上記周知の技術的事項を適用して「主制御回路３０から受信したコマンドが「特定当り」が指定された停止図柄種別指定コマンドかどうかを判別し，当該判別結果がＹＥＳであるとき」に決定する停止図柄として，非確率変動状態用の演出図柄と同一態様である場合を含むこととし，その際，当該同一の態様である非確率変動状態用の演出図柄及び確率変動状態用の演出図柄を読み出すための実行コマンドを同一のデータとすることは，当業者が容易になし得ることであるといえる。そして，引用発明１と上記周知の事項から導かれる発明において，「「特定当り」が指定された停止図柄種別指定コマンド」と，「通常当り」「が指定された停止図柄種別指定コマンド」とは異なるデータであることは，明らかである。
　よって，引用発明１に，上記周知の技術的事項を適用して，上記相違点に係る本願補正発明の構成とすることは，当業者にとって容易である。
　そして，本願補正発明の作用効果も，引用発明１及び上記周知の技術的事項から当業者が予測できる範囲のものである。
　したがって，本願補正発明は，引用発明１及び上記周知の技術的事項に基づいて，当業者が容易に発明をすることができたものである。
（５）請求人の主張について
　請求人は審判請求書の「（４）補正後の本願発明と引用文献との対比」において，「補正後の本願発明（請求項１に係る発明）は，補正後の発明特定事項を備えることにより，次のような効果を奏する。　
　・・・
　（ｃ）演出図柄指定コマンドは，確率変動状態へ移行する場合と移行しない場合であっても同一のデータであるため，確率変動状態と非確率変動状態で異なる状況であっても，副制御手段は同一データの演出図柄指定コマンドを使用することでデータの共通化が図られる。　
　　これに対し，引用文献１〜４には，上記（ａ）（ｂ）（ｃ）の作用効果のうち，とりわけ（ｃ）の効果を奏するような構成については一切記載されていない。」と主張している。
　しかしながら，上記のとおり，引用発明１及び上記周知の事項から導かれる発明において，同一の図柄を表示するときには，同一の画像データを読み出して表示させればよいのであるから，そのために上記実行コマンドを同一のデータとすることは，当業者にとって容易になし得ることであり，そのことによる効果についても格別のものとはいえない。
　よって，請求人の上記主張は採用できない。
（６）まとめ
　したがって，本願補正発明は，特許法第２９条第２項の規定に基づいて特許出願の際独立して特許を受けることができない。
　よって，本件補正は，特許法第１７条の２第６項において準用する同法第１２６条第７項の規定に違反するので，同法１５９条第１項において読み替えて準用する同法第５３条第１項の規定により却下すべきものである。
第３　本願発明
　本件補正は上記のとおり却下されることとなったので，本願の請求項１に係る発明は，平成２８年４月２６日の手続補正書により補正された特許請求の範囲の請求項１に記載された事項により特定されるとおりのものであるところ，その請求項１に係る発明（以下，「本願発明」という。）は，上記「第２［理由］１」に本件補正前の請求項１として記載されたとおりのものである。
１　引用文献１
　原査定の拒絶理由に引用された本願の出願前に頒布された引用文献１の記載事項及び引用発明１の認定については，上記「第２［理由］３（２）」に記載したとおりである。
２　原査定の拒絶の理由
　原査定の拒絶の理由１は，この出願の請求項１に係る発明は，この出願前に頒布された下記の引用文献１に記載された発明であるから，特許法第２９条第１項第３号に該当し，特許を受けることができない，というものである。また，原査定の拒絶の理由２は，この出願の請求項１に係る発明は，この出願前に頒布された下記の引用文献１に記載された発明に基づいて，その出願前にその発明の属する技術の分野における通常の知識を有する者が容易に発明をすることができたものであるから，特許法２９条２項の規定により特許を受けることができない，というものである。
引用文献１：特開２００３−３４００６０号公報
３　対比・判断
　本願発明は，上記「第２［理由］１」で検討した本件補正発明から，「前記表示制御手段によって表示される前記確率変動状態用の前記演出図柄」に関し，「非確率変動状態用の演出図柄と同一の形態である場合を含」むとの限定を省くとともに，そのような場合において，
　「グループ化コマンド」は「前記確率変動状態への移行を示唆するコマンド群に含まれる場合と含まれない場合とで異なるデータであ」るとともに，
　「演出図柄指定コマンド」は「前記確率変動状態へ移行する場合と移行しない場合であっても同一のデータである」との限定を省いたものである。
　してみると，本願発明は，本件補正発明から，上記「第２［理由］３（３）」に示した［相違点］に関する構成が省かれたものであるといえるので，本願発明と引用発明１とは相違点はないといえる。
　してみると，本願発明は，引用発明１と同一である。また，仮に本願発明と引用発明１との間に相違点があるとしても，本願発明は引用発明１から当業者が容易に発明をすることのできたものである。
４　まとめ
　以上のとおり，本願発明は，特許法第２９条第１項第３号に該当するので特許を受けることができないものである。
　仮にそうでないとしても，本願発明は，同法第２９条第２項の規定により特許を受けることができない。
　したがって，本願は拒絶すべきものである。
　よって，結論のとおり審決する。